(57)【特許請求の範囲】
【請求項１】
キャスタを有する機器を搭載するパレットと、前記パレットに前記機器の積み下ろしをするためのスロ−プと、前記機器を前記パレット上に保持するための固定材とを備えた梱包装置において、前記固定材を前記スロープに兼用可能に形成させ、前記固定材は前記機器に係合した切り欠きを有するパッドに固定されることを特徴とするキャスタを有する機器の梱包装置。
【請求項２】
前記パレットと前記固定材のいずれか一方に突起部を設け、他方に前記突起部に係合可能な穴を設け、前記突起部を前記穴に係合すると前記スロープを形成するようになっている請求項１に記載のキャスタを有する機器の梱包装置。
【請求項３】
前記パレットにめネジを形成し、前記めネジに係合可能な穴を前記固定材に設け、おネジにより固定することを特徴とする請求項１に記載のキャスタを有する機器の梱包装置。
【発明の詳細な説明】
【０００１】
【発明が属する技術分野】
本発明は中重量の電気機器などのキャスタを有する機器の梱包装置に関するものである。
【０００２】
【従来の技術】
従来、この種のキャスタを有する３０ｋｇ程度から１００ｋｇ程度の中重量機器の梱包装置には、図７に示すように、実平５−３１２９号公報に記載されている梱包装置がある。この梱包装置においては、機器１０１を梱包および開梱する際にキャスタ１０２によりパレット１０３へ積み下ろしする手段として、梱包外装箱１０４を兼ねたスロ−プ１０４の端部と前記パレット１０３の端部とをヒンジ１０５を介して接続する構成のものがある。
【０００３】
【発明が解決しようとする課題】
しかし、このような従来のキャスタを有する機器の梱包装置では、梱包外装箱がスロープを兼ねており、機器の重量に耐えるように梱包外装箱を木材製とする必要があり、梱包外装箱が高価で重く梱包および開梱作業に人手と手間が掛かっていた。また、パレットに搭載された機器を保持させるために、スロ−プを兼ねた梱包外装箱とは別に固定材を必要とするといった問題を有していた。
【０００４】
本発明はこのような問題を解決するために成されたもので、安価で軽量であり、少人数での迅速な積み下ろしが実施可能な優れたキャスタを有する機器の梱包装置を提供するものである。
【０００５】
【課題を解決するための手段】
本発明のキャスタを有する機器の梱包装置は、キャスタを有する機器を搭載するパレットと、前記パレットに前記機器の積み下ろしをするためのスロ−プと、前記機器を前記パレット上に保持するための固定材とを備えた梱包装置において、前記固定材を前記スロープに兼用可能に形成させた構成を有している。
【０００６】
この構成により、前記機器の運搬中は前記固定材で前記機器を保持し、前記機器の積み下ろしの際には前記固定材を前記スロープとして使用する。したがって、梱包外装箱にスロ−プを兼用させる必要がないので、梱包外装箱に段ボ−ルが使用でき安価で軽量となり、梱包作業も円滑で適切な積み下ろしにより手間を抑え、小人数での迅速な積み下ろしをすることができる。
【０００７】
また、本発明のキャスタを有する機器の梱包装置は、前記パレットと前記固定材のいずれか一方に突起部を設け、他方に前記突起部に係合可能な穴を設け、前記突起部を前記穴に係合すると前記スロープを形成するような構成を有している。
【０００８】
この構成により、前記機器の運搬中は前記固定材で前記機器を保持し、前記機器の積み下ろしの際には前記突起部を前記穴に係合させ、固定材を前記スロープとして使用する。
【０００９】
また、本発明のキャスタを有する機器の梱包装置は、前記パレットにめネジを形成し、前記めネジに係合可能な穴を前記固定材に設け、おネジにより固定することにより、スロ−プを形成するような構成を有している。
【００１０】
この構成により、前記機器の運搬中は前記固定材で前記機器を保持し、前記機器の積み下ろしの際には前記突起部を前記穴に係合し、螺子を前記突起部に螺合し、前記固定材を前記スロープとして使用する。
【００１１】
【発明の実施の形態】
以下、本発明の実施の形態について、図１から図６を参照しつつ説明する。
【００１２】
本発明の第１の実施の形態に係るキャスタを有する中重量機器の梱包装置の構成を図１に示す。図１の梱包装置は、パレット３に搭載される中重量機器１のキャスタ２位置に合わせて突起部４を形成し、その突起部４に係合する穴６をスロ−プ兼固定材５に形成して、スロープ兼固定材５をパレット３に保持させることにより、中重量機器１のキャスタ２によりパレット３への積み下ろしを行うと共に、パレット３の上にめネジ８を有するパッド７を設け、そのめネジ８に係合する穴６をスロープ兼固定材５に形成して、パッド７とスロープ兼固定材５をおネジ９で固定することで中重量機器１を保持するものである。
【００１３】
図１において、梱包される中重量機器１は移動用のキャスタ２を四輪有している。梱包装置において、パレット３は梱包装置底面として機械荷役ができるように、パレットトラックのフィンガ（図示せず）が入る高さを有し、その上面の一端部にキャスタ２の位置に合わせて形成した２個の突起部４を有している。スロープ兼固定材５は、突起部４とパッド７のめネジ８に係合する穴６を両端部に形成したものを２個使用する。中重量機器１をパレット３の上に保持させるため、パッド７に中重量機器１に係合した切り欠き２ヶ所を形成し、スロ−プ兼固定材５を４個のおネジ９で固定するために、めネジ８を４個有し、中重量機器１の保護用に梱包外装箱１０を備えている。
【００１４】
以上のように構成されたキャスタを有する中重量機器の梱包装置について、図２ａ及び図２ｂを用いて動作を説明する。まず、中重量機器１を梱包および開梱する際に、キャスタ２によりパレット３へ積み下ろしさせるために、パレット３の一端部に形成した２個の突起部４に、スロ−プ兼固定材５の両端部に形成した穴６の一方を係合させ、スロ−プ兼固定材５の一方側がパレット３の上面側に、他方側がパレット３の下面側のキャスタ２の位置に合った傾斜面となり、中重量機器１をパレット３へ積み下ろしできる。中重量機器１をパレット３の上に保持させる時は、パッド７の切り欠き２ヶ所に中重量機器１を係合し、パッド７の４ヶ所に形成しためネジ８にスロ−プ兼固定材５の両端に形成した穴６を係合させ、おネジ９によりスロ−プ兼固定材５を固定する。さらに、梱包外装箱１０をかぶせることで中重量機器１が保護される。
【００１５】
以上のように、本発明の第１の実施形態によれば、中重量機器の梱包装置底面のパレットへキャスタにより積み下ろしするスロープと機器をパレットの上に保持させるための固定材とを兼ねた構成としたので、梱包外装箱にスロ−プを兼用させる必要がなく、梱包外装箱に段ボ−ルが使用でき安価で軽量となり、梱包作業も円滑で適切な積み下ろしにより手間を抑え、小人数での迅速な積み下ろしをすることができる。
【００１６】
本発明の第２の実施の形態のキャスタを有する中重量機器の梱包装置の構成を図３に示す。本発明の第２の実施形態に係るキャスタを有する中重量機器の梱包装置は、パレット３に搭載される中重量機器１のキャスタ２位置に合わせた穴１２を形成し、その穴１２に係合する突起部１１をスロープ兼固定材５に形成して、スロープ兼固定材５をパレット３に保持させることにより、中重量機器１のキャスタ２によりパレット３への積み下ろしを行うと共に、パレット３上にめネジ８を有するパッド７を設け、そのめネジ８に係合する穴６をスロープ兼固定材５に形成して、パッド７とスロープ兼固定材５をおネジ９で固定することで中重量機器１を保持するものである。
【００１７】
図３は本発明の第２の実施形態のキャスタを有する中重量機器の梱包装置の構成を示す図である。図３において、梱包される中重量機器１は移動用のキャスタ２を四輪有している。梱包装置において、パレット３は梱包装置底面として機械荷役ができるように、パレットトラックのフィンガ（図示せず）が入る高さを有し、その上面の一端部にキャスタ２の位置に合わせて形成した２個の穴１２を有している。スロ−プ兼固定材５は、一端部に形成され穴１２に係合する突起部１１と、両端部に形成されパッド７のめネジ８に係合する２個の穴６とを備えている。中重量機器１をパレット３の上に保持させるため、パッド７には中重量機器１に係合した切り欠き２ヶ所を形成し、スロ−プ兼固定材５を４個のおネジ９で固定するために、めネジ８を４個有し、中重量機器１の保護用に梱包外装箱１０を備えている。
【００１８】
以上のように構成されたキャスタを有する中重量機器の梱包装置について、図４ａ及び図４ｂを用いて動作を説明する。まず、中重量機器１を梱包および開梱する際に、キャスタ２によりパレット３へ積み下ろしさせるために、パレット３の一端部に形成した２個の穴１２に、スロ−プ兼固定材５の一端部に形成した突起１１を係合させ、スロ−プ兼固定材５の一方側がパレット３の上面側に、他方側がパレット３の下面側のキャスタ２の位置に合った傾斜面となり、中重量機器１をパレット３へ積み下ろしできる。中重量機器１をパレット３の上に保持させる時は、パッド７の切り欠き２ヶ所に中重量機器１を係合し、パッド７の４ヶ所に形成しためネジ８にスロ−プ兼固定材５の両端部に形成した穴６を係合させ、おネジ９によりスロ−プ兼固定材５を固定する。さらに、梱包外装箱１０をかぶせることで中重量機器１が保護される。
【００１９】
以上のように、本発明の第２の実施形態によれば、中重量機器の梱包装置底面のパレットへキャスタにより積み下ろしするスロ−プと機器をパレット上に保持させるための固定材とを兼ねた構成としたので、梱包外装箱にスロ−プを兼用させる必要がなく、梱包外装箱に段ボ−ルが使用でき安価で軽量となり、梱包作業も円滑で適切な積み下ろしにより手間を抑え、小人数での迅速な積み下ろしをすることができる。
【００２０】
本発明の第３の実施の形態のキャスタを有する中重量機器の梱包装置の構成を図５に示す。本発明の第３の実施形態に係るキャスタを有する中重量機器の梱包装置は、パレット３に搭載される中重量機器１のキャスタ２位置に合わせためネジ１３を形成し、そのめネジ１３に係合する穴６をスロープ兼固定材５に形成して、スロープ兼固定材５をパレット３におネジ９により保持させることにより、中重量機器１のキャスタ２によりパレットへの積み下ろしを行うと共に、パレット３上にめネジ８を有するパッド７を設け、そのめネジ８に係合する穴６をスロープ兼固定材５に形成して、パッド７とスロープ兼固定材５をおネジ９で固定することで中重量機器１を保持するものである。
【００２１】
図５は本発明の第３の実施形態のキャスタを有する中重量機器の梱包装置の構成を示す図である。図５において、梱包される中重量機器１は移動用のキャスタ２を四輪有している。梱包装置において、パレット３は梱包装置底面として機械荷役ができるように、パレットトラックのフィンガ（図示せず）が入る高さを有し、その上面の一端部にキャスタ２の位置に合わせて形成した２個のめネジ１３を有している。スロ−プ兼固定材５は、パレット３のめネジ１３とパッド７のめネジ８に係合する穴６を両端部に形成したものを２個使用する。中重量機器１をパレット３の上に保持させるため、パッド７に中重量機器１に係合した切り欠き２ヶ所を形成し、スロ−プ兼固定材５を４個のおネジ９で固定するために、めネジ８を４個有し、中重量機器１の保護用に梱包外装箱１０を備えている。
【００２２】
以上のように構成されたキャスタを有する中重量機器の梱包装置について、図６ａ及び図６ｂを用いて動作を説明する。まず、中重量機器１を梱包および開梱する際に、キャスタ２によりパレット３へ積み下ろしさせるために、パレット３の一端部に形成した２個のめネジ１３に、スロ−プ兼固定材５の両端部に形成した穴６の一方を係合させ、おネジ９で固定することで、スロ−プ兼固定材５の一方側がパレット３の上面側に、他方側がパレット３の下面側のキャスタ２の位置に合った傾斜面となり、中重量機器１をパレット３へ積み下ろしできる。中重量機器１をパレット３の上に保持させる時は、パッド７の切り欠き２ヶ所に中重量機器１を係合し、パッド７の４ヶ所に形成しためネジ８にスロ−プ兼固定材５の両端部に形成した穴６を係合させ、おネジ９によりスロ−プ兼固定材５を固定する。さらに、梱包外装箱１０をかぶせることで中重量機器１が保護される。
【００２３】
以上のように、本発明の第３の実施形態によれば、中重量機器の梱包装置底面のパレットへキャスタにより積み下ろしするスロ−プと機器をパレットの上に保持させるための固定材を兼ねた構成としたので、梱包外装箱にスロ−プを兼用させる必要がなく、梱包外装箱に段ボ−ルが使用でき安価で軽量となり、梱包作業も円滑で適切な積み下ろしにより手間を抑え、小人数での迅速な積み下ろしをすることができる。
【００２４】
【発明の効果】
以上説明したのように、本発明は、キャスタを有する中重量機器の梱包装置として、機器の梱包装置底面のパレットへキャスタにより積み下ろしするスロ−プと機器をパレットの上に保持させるための固定材とを兼ねた構成としたので、梱包外装箱にスロ−プを兼用させる必要がなく、梱包外装箱に段ボ−ルが使用でき安価で軽量にすることができる効果が得られる。また、軽量により梱包作業も円滑で適切な積み下ろしにより手間を抑え、小人数での迅速な積み下ろしが実施可能で、輸送費も安価にできるというすぐれた効果を有するキャスタを有する中重量機器の梱包装置を提供することができるものである。
【図面の簡単な説明】
【図１】本発明の第１の実施の形態におけるキャスタを有する中重量機器の梱包装置の構成図
【図２】（ａ）本発明の第１の実施の形態におけるキャスタを有する中重量機器の梱包装置の動作説明のための斜視図
（ｂ）本発明の第１の実施の形態におけるキャスタを有する中重量機器の梱包装置の動作説明のための斜視図
【図３】本発明の第２の実施の形態におけるキャスタを有する中重量機器の梱包装置の構成図
【図４】（ａ）本発明の第２の実施の形態におけるキャスタを有する中重量機器の梱包装置の動作説明のための斜視図
（ｂ）本発明の第２の実施の形態におけるキャスタを有する中重量機器の梱包装置の動作説明のための斜視図
【図５】本発明の第３の実施の形態におけるキャスタを有する中重量機器の梱包装置の構成図
【図６】（ａ）本発明の第３の実施の形態におけるキャスタを有する中重量機器の梱包装置の動作説明のための斜視図
（ｂ）本発明の第３の実施の形態におけるキャスタを有する中重量機器の梱包装置の動作説明のための斜視図
【図７】従来例を示す構成図
【符号の説明】
１  中重量機器
２  キャスタ
３  パレット
４，１１  突起部
５  スロ−プ兼固定材
６，１２  穴
７  パッド
８，１３  めネジ
９  おネジ
１０  梱包外装箱
【図１】
0003649987.tif 000002
【図２】
0003649987.tif 000003
【図３】
0003649987.tif 000004
【図４】
0003649987.tif 000005
【図５】
0003649987.tif 000006
【図６】
0003649987.tif 000007
【図７】
0003649987.tif 000008